(57)【要約】【課題】  等化収斂速度の向上及び安定された等化性能を有する単一搬送波受信装置の等化器及びその等化方法を提供する。【解決手段】  等化器は、受信信号の多重経路をフィルタリングするフィルタ部と、受信信号のうち、相異なるレベルの２つの信号を有するフィールド同期信号を抽出するフィールド同期抽出部と、抽出されたフィールド同期信号のうち、ｋ番目（ｋは自然数）フィールド同期信号を格納するためのフィールド同期格納部と、ｋ番目フィールド同期信号をＮ回（Ｎは自然数）繰返し使用して等化エラー値を算出するエラー算出部と、を含み、フィルタ部は、等化エラー値を用いてフィルタの係数をアップデートする。【選択図】  図５
2004166267.tif 000002
【特許請求の範囲】
【請求項１】
受信信号の多重経路をフィルタリングするフィルタを有するフィルタ部と、
前記受信信号のうち、相異なるレベルの２つの信号を有するフィールド同期信号を抽出するフィールド同期抽出部と、
抽出された前記フィールド同期信号のうち、ｋ番目（ｋは自然数）フィールド同期信号を格納するためのフィールド同期格納部と、
前記ｋ番目フィールド同期信号をＮ回（Ｎは自然数）繰返し使用して等化エラー値を算出するエラー算出部と、を含み、
前記フィルタ部は、前記等化エラー値を用いて前記フィルタの係数をアップデートすることを特徴とする単一搬送波受信機の等化器。
【請求項２】
前記エラー算出部は、
前記ｋ番目フィールド同期信号をＭ回（Ｍ＜Ｎである自然数）繰り返し使用して前記等化エラー値を算出する第１の再活用モードを有し、
該第１の再活用モードでは、
前記ｋ番目フィールド同期信号の２つの信号のうち、いずれか１つをトレーニングモード及びブラインドモードで前記等化エラー値を算出することを特徴とする請求項１に記載の単一搬送波受信機の等化器。
【請求項３】
前記エラー算出部は、
前記ｋ番目フィールド同期信号をＮ-Ｍ回（Ｍ＜Ｎである自然数）繰り返し使用して前記等化エラー値を算出する第２の再活用モードを有し、
該第２の再活用モードでは、
前記２つの信号のうち、他の１つのプリゴースト及びポストゴーストが含まれた部分を除いた前記いずれか１つを前記トレーニングモード及び前記ブラインドモードで前記等化エラー値を算出することを特徴とする請求項２に記載の単一搬送波受信機の等化器。
【請求項４】
前記他の１つに対する前記等化エラー値を「０」にすることを特徴とする請求項３に記載の単一搬送波受信機の等化器。
【請求項５】
前記いずれか１つは２レベルの信号であり、前記他の１つは８レベルの信号であることを特徴とする請求項３に記載の単一搬送波受信機の等化器。
【請求項６】
前記エラー算出部は、前記トレーニングモードである場合、
基準信号を生成するフィールド同期生成部と、
前記ｋ番目フィールド同期信号と前記基準信号とを加算して前記等化エラー値を算出する第４の加算器と、を含むことを特徴とする請求項２に記載の単一搬送波受信機の等化器。
【請求項７】
前記エラー算出部は、前記ブラインドモードである場合、
入力される前記ｋ番目フィールド同期信号を所定のレベルに出力する決定部と、
該決定部に入力される前記ｋ番目フィールド同期信号と前記所定のレベルの出力信号とを加算して前記等化エラー値を算出する第５の加算器と、を含むことを特徴とする請求項２に記載の単一搬送波受信機の等化器。
【請求項８】
前記受信信号のうち、相異なるレベルの２つの信号を有するフィールド同期信号を抽出するステップと、
抽出されたフィールド同期信号のうち、ｋ番目（ｋは自然数）フィールド同期信号を格納するステップと、
前記ｋ番目フィールド同期信号をＮ回（Ｎは自然数）繰返し使用して等化エラー値を算出するステップと、
前記受信信号の多重経路をフィルタリングするためのフィルタの係数を前記等化エラー値に対応してアップデートするステップと、
前記係数がアップデートされた前記フィルタによって前記多重経路をフィルタリングするステップと、を含むことを特徴とする単一搬送波受信機の等化方法。
【請求項９】
前記等化エラー値算出ステップは、
前記ｋ番目フィールド同期信号をＭ回（Ｍ＜Ｎである自然数）繰り返し使用して前記等化エラー値を算出する第１の再活用モードを有し、
該第１の再活用モードでは、
前記２つの信号のうち、いずれか１つをトレーニングモード及びブラインドモードで前記等化エラー値を算出することを特徴とする請求項８に記載の単一搬送波受信機の等化方法。
【請求項１０】
前記等化エラー値算出ステップは、
前記ｋ番目フィールド同期信号をＮ-Ｍ回（Ｍ＜Ｎである自然数）繰り返し使用して前記等化エラー値を算出する第２の再活用モードを有し、
前記第２の再活用モードでは、
前記２つの信号のうち、他の１つのプリゴースト及びポストゴーストが含まれた部分を除いた前記いずれか１つを前記トレーニングモード及び前記ブラインドモードで前記等化エラー値を算出することを特徴とする請求項９に記載の単一搬送波受信機の等化方法。
【請求項１１】
前記他の１つに対する前記等化エラー値は、「０」にすることを特徴とする請求項１０に記載の単一搬送波受信機の等化方法。
【請求項１２】
前記いずれか１つは２レベルの信号であり、前記他の１つは８レベルの信号であることを特徴とする請求項１０に記載の単一搬送波受信機の等化方法。
【請求項１３】
前記等化エラー値の算出ステップは、前記トレーニングモードである場合、
基準信号を生成するステップと、
前記ｋ番目フィールド同期信号と前記基準信号とを加算して前記等化エラー値を算出するステップと、を含むことを特徴とする請求項９に記載の単一搬送波受信機の等化方法。
【請求項１４】
前記等化エラー値の算出ステップは、前記ブラインドモードである場合、
入力される前記ｋ番目フィールド同期信号を所定のレベルに出力するステップと、
入力される前記ｋ番目フィールド同期信号と前記所定のレベルの出力信号とを加算して前記等化エラー値を算出するステップと、を含むことを特徴とする請求項９に記載の単一搬送波受信機の等化方法。
【発明の詳細な説明】
【技術分野】
【０００１】
本発明は、単一搬送波受信装置の等化器及び等化方法に関し、特に、収斂速度の向上及び安定された等化性能を有する等化器及び等化方法に関する。
【背景技術】
【０００２】
通信とコンピューター及び放送が融合してマルチメディア化されることによって、世界の各国は既存のアナログ方式の放送をデジタル化している。特に、アメリカ、ヨーロッパ、日本などの先進国では既に衛生を介したデジタル放送が一部で実施している。また、デジタル放送のための標準方式が備えられており、このような標準方式は国によって相異なる。
【０００３】
アメリカの連邦通信委員会（Federal Communications Commission ： ＦＣＣ）は、1996年12月24日、ＡＴＳＣ（Advanced Television Systems Committee）のデジタルＴＶ標準（Digital Television Standard）を次世代ＴＶ放送の標準として承認した。この決定によってＡＴＳＣ標準に規定されたビデオ、オーディオ圧縮、パケットデータ伝送構造、変調及び伝送システムに対する規格は、地上波放送の事業者が義務的に遵守すべきであるが、但し、ビデオフォーマットについての規格は特に規定しないで自律的に決めるようにした。
【０００４】
ＡＴＳＣ標準によれば、ビデオ圧縮方式は、ＭＰＥＧ（Moving Picture Experts Group）-２ビデオ（ＩＳＯ/ＩＥＣ ＩＳ １３８１８-２）標準方式が採択される。世界的に全デジタル放送がこれを標準に採択した。オーディオ圧縮方式は、Dolby社によって提案されたデジタルオーディオ圧縮（digital audio compression）（ＡＣ―３）標準方式を採択する。
【０００５】
多重化方式はＭＰＥＧ―２システム（ＩＳＯ/ＩＥＣ ＩＳ １３８１８―１）標準方式を採択する。この方式は、ビデオ圧縮方式と同様にヨーロッパ方式においても使われている。変調及び伝送方式は８-ＶＳＢ（Vestigial Side Band）方式を採択する。ＶＳＢ方式は、デジタルＴＶ放送のために提案されたものであり、６ＭＨｚの帯域を使用して１９．３９Ｍｂｐｓのデータ伝送率を得ることができるため帯域効率が高く、その構造が簡単である。また、既存にあるＮＴＳＣ（National Television Standard Committee）放送チャンネルとの干渉を最小化するように設けられ、ノイズの多い状況においても安定的に動作できるパイロット信号、セグメント同期信号、フィールド同期信号などを使う。
【０００６】
ＡＴＳＣデジタルＴＶ標準は、単一搬送波振幅変調の残留側波帯（ＶＳＢ）を使って６ＭＨｚ帯域幅に高品質のビデオ、オーディオ、及び補助データを伝送して２つの放送モード、つまり、同時地上波の放送モードと高速データ率のケーブル放送モードを支援する。この方式の特徴は、既存のアナログＶＳＢ方式を変更してデジタル信号の変調ができるように８-ＶＳＢ変調方式を使うことにある。
【０００７】
図１は、このようなＶＳＢ変調方式が適用される単一搬送波の受信装置についての概略的なブロック図である。受信装置は、ＲＦ部１０、ＡＤＣ（Analog to Digital Converter）部２０、同期部３０、等化部４０、及び復号部５０などを有する。
【０００８】
ＲＦ部１０は、アンテナ１１から受信された放送信号を選局し、選局された帯域の放送信号を基底帯域信号に変換する。ＡＤＣ部２０は、受信されたアナログフォーマット（format）の放送信号をデジタルサンプリング（sampling）してデジタルフォーマットに変換する。同期部３０は、入力された放送信号に対しての周波数、位相、及びタイミング（timing）オフセットを補償する。等化部４０は、オフセットが補償された放送信号に対して伝送チャンネル上で発生したチャンネル歪みを補償する。復号部５０は、等化部４０から等化された放送信号のデータを復号化する。
【０００９】
図２は、ＡＳＴＣのフレーム構造を示した図である。同図を参照すれば、ＡＴＳＣフィールド（field）は、３１３個の連続したセグメントからなり、ＡＴＳＣフィールド同期（field sync）は、１つのセグメントからなる。ＡＴＳＣフレーム構造は２つのＡＴＳＣフィールドからなる。
【００１０】
図３は、ＡＴＳＣフィールド同期信号を示す図である。フィールド同期信号は４つのシンボルからなるセグメント同期信号（segment sync）、５１１個のシンボルからなる疑似雑音列（Pseudo Noise Sequence ：以下、ＰＮ列と称する）、６３個のシンボルからなるＰＮ列３個、２４個のシンボルからなる伝送モード、予約された９２個のシンボル、及び１２個のプリコード（precode）シンボルからなる。ここで、１２個のプリコード（precode）シンボルだけが８レベルを有し、残りのシンボルは２レベルを有する。
【００１１】
図２及び図３に図示した一般のＡＴＳＣフレーム構造を見ると、従来の等化器は、周期的に入力されるフィールド同期信号のうちＰＮ列に対する７００シンボルを用いてトレーニングモード（training ｍode）で動作する。そして、その他のデータなどに対してはブラインドモード（blind mode）で動作する。
【００１２】
図４は、図１の等化部４０についての詳細なブロック図であって、決定帰還等化器（Decision Feedback Equalizer ： ＤＦＥ）を例に挙げて詳説する。
【００１３】
等化器４０は、入力される信号のうちもっとも大きい信号を基準にして先行して受信されたプリ・ゴースト（Pre-ghost）を除去するＦＩＲ状のフィルタを有するＦＦ（Feed Forward）部４１と、基準信号以後に受信されたポスト・ゴースト（Post-ghost）を除去するＩＩＲ状のフィルタを有するＦＢ（Feed Back）部４２と、入力信号のうちフィールド同期信号を抽出するフィールド同期抽出部４５と、ＦＦ部４１と、ＦＢ部４２の各フィルタタップ係数を初期化させるために抽出されたフィールド同期信号を用いてチャンネル状態を予測するチャンネル予測部４５と、等化器の動作モードであるブラインドモードとトレーニングモードに対応して算出された等化エラー値（err_ blind、err_ train）を選択的にスイッチングしてＦＦ部４１及びＦＢ部４２に入力するスイッチ部４９を有する。
【００１４】
即ち、ＦＦ部４１及びＦＢ部４２では、入力される等化エラー値（err_ blind、err_ train ）に対応してそれぞれのフィルタタップ係数をアップデートすることによって受信信号の多重経路をフィルタリングする。
【００１５】
等化器４０の動作モードがトレーニングモードである場合、スイッチ部４９は、トレーニングモードに対応する等化エラー値（err_train）をスイッチする。フィールド同期抽出部４５は、等化器４０に入力される受信信号のうちフィールド同期信号を抽出する。第３の加算器４６は、抽出されたフィールド同期信号とフィールド同期生成部６０から生成された基準信号を加算して等化エラー値（err_train）を出力する。この際、スイッチ部４９によって選択された等化エラー値（err_train）に基づいてＦＦ部４１及びＦＢ部４２は、それぞれのフィルタタップ係数をアップデートすることによって等化器を収斂させる。
【００１６】
等化器４０の動作モードがブラインドモードである場合、スイッチ部４９は、ブラインドモードに対応する等化エラー値（err_blind）をスイッチする。ＦＦ部４１及びＦＢ部４２のそれぞれの出力信号は第１の加算器４３によって加算され、決定（Decision）部４７で任意のレベルに決められる。第２の加算器４８によって第１の加算器４３の出力信号と、決定部４７の出力信号とが加算され等化エラー値（err_blind）を出力する。この際、スイッチ部４９によって選択された等化エラー値（err_blind）に基づいてＦＦ部４１及びＦＢ部４２は、それぞれのフィルタタップ係数を等化エラー値（err_blind）に基づいてアップデートすることによって等化器を収斂させる。
【００１７】
従って、等化器４０がフィールド同期生成部６０から生成された基準信号を基準に等化を行なうトレーニングモードにて動作される時に等化器の収斂速度は速くなる。しかし、従来の一般の等化器は、全ＡＴＳＣフレーム構造についてトレーニングモードで動作する時間がブラインドモードで動作する時間に比べて極めて短く動作するため、等化器が安全に収斂するには収斂時間が長くかかるという問題を抱えている。
【発明の開示】
【発明が解決しようとする課題】
【００１８】
前述した問題を解決するための本発明の目的は、等化収斂速度の向上及び安定された等化性能を有する単一搬送波受信装置の等化器及びその等化方法を提供することにある。
【課題を解決するための手段】
【００１９】
前述した目的を達成するための本発明に係る単一搬送波受信装置の等化器は、受信信号の多重経路をフィルタリングするフィルタ部と、前記受信信号のうち、相異なるレベルの２つの信号を有するフィールド同期信号を抽出するフィールド同期抽出部と、抽出された前記フィールド同期信号のうち、ｋ番目（ｋは自然数）フィールド同期信号を格納するためのフィールド同期格納部と、前記ｋ番目フィールド同期信号をＮ回（Ｎは自然数）繰返し使用して等化エラー値を算出するエラー算出部と、を含み、前記フィルタ部は、前記等化エラー値を用いて前記フィルタの係数をアップデートする。
【００２０】
前記エラー算出部は、前記ｋ番目フィールド同期信号をＭ回（Ｍ＜Ｎである自然数）繰り返し使用して前記等化エラー値を算出する第１の再活用モードを有し、該第１の再活用モードでは、前記ｋ番目フィールド同期信号の２つの信号のうち、いずれか１つをトレーニングモード及びブラインドモードで前記等化エラー値を算出する。前記エラー算出部は、前記ｋ番目フィールド同期信号をＮ-Ｍ回（Ｍ＜Ｎである自然数）繰り返し使用して前記等化エラー値を算出する第２の再活用モードを有し、該第２の再活用モードでは、前記２つの信号のうち、他の１つのプリゴースト及びポストゴーストが含まれた部分を除いた前記いずれか１つを前記トレーニングモード及び前記ブラインドモードで前記等化エラー値を算出する。一方、前記他の１つに対する前記等化エラー値は「０」にする。前記いずれか１つは２レベルの信号であり、前記他の１つは８レベルの信号である。
【００２１】
前記エラー算出部が前記トレーニングモードで動作される場合、基準信号を生成するフィールド同期生成部と、前記ｋ番目フィールド同期信号と前記基準信号とを加算して前記等化エラー値を算出する第４の加算器と、を含み、前記ブラインドモードである場合、入力される前記ｋ番目フィールド同期信号を所定のレベルで出力する決定部と、該決定部に入力される前記ｋ番目フィールド同期信号と前記所定のレベルの出力信号とを加算して前記等化エラー値を算出する第５の加算器と、を有する。
【００２２】
一方、本発明に係る単一搬送波受信機の等化方法は、前記受信信号のうち、相異なる２つの信号を有するフィールド同期信号を抽出するステップと、抽出されたフィールド同期信号のうち、ｋ番目（ｋは自然数）フィールド同期信号を格納するステップと、前記ｋ番目フィールド同期信号をＮ回（Ｎは自然数）繰り返し使用して等化エラー値を算出するステップと、前記受信信号の多重経路をフィルタリングするためのフィルタの係数を前記等化エラー値に対応してアップデートするステップと、前記係数がアップデートされた前記フィルタによって前記多重経路をフィルタリングするステップと、を含むことを特徴とする。
【００２３】
前記等化エラー値算出ステップは、前記ｋ番目フィールド同期信号をＭ回（Ｍ＜Ｎである自然数）繰り返し使用して前記等化エラー値を算出する第１の再活用モードを有し、該第１の再活用モードでは、前記２つの信号のうち、いずれか１つをトレーニングモード及びブラインドモードで前記等化エラー値を算出する。
【００２４】
前記等化エラー値の算出ステップは、前記ｋ番目フィールド同期信号をＮ-Ｍ回（Ｍ＜Ｎである自然数）繰り返し使用して前記等化エラー値を算出する第２の再活用モードを有し、該第２の再活用モードでは、前記２つの信号のうち、他の１つのプリゴースト及びポストゴーストが含まれた部分を除いた前記いずれか１つを前記トレーニングモード及び前記ブラインドモードで前記等化エラー値を算出する。一方、前記他の１つに対する前記等化エラー値は「０」にする。ここで、前記いずれか１つは２レベルの信号であり、前記他の１つは８レベルの信号である。
【発明の効果】
【００２５】
本発明によれば、フィールド同期格納部にｋ番目のフィールド同期信号を格納した後、格納されたｋ番目フィールド同期信号をＮ回繰返してフィールド同期生成部から生成される基準信号と比べてトレーニングモードで等化器を動作させることによって等化器の収斂速度を向上させる。
【００２６】
さらに、ｋ番目のフィールド同期信号のうち、８レベルのプリコード信号に影響を受ける２レベルの信号を除いた２レベルの信号のみを用いて等化を行なうことによって収斂をより正確で安定的にさせる。
【発明を実施するための最良の形態】
【００２７】
以下、図面を参照して本発明をより詳しく説明する。
[実施例]
図５は、本発明に係る等化器（ＤＥＦ）についての詳細なブロック図である。
等化器４００は、受信信号の多重経路をフィルタリングするフィルタを有するフィルタ部４１０と、受信信号のうちフィルタ同期信号を抽出するフィルタ同期抽出部４２０と、抽出されたフィールド同期信号を用いて受信信号のチャンネル状態を予測するチャンネル予測部４３０と、抽出されたフィールド同期信号を格納するためのフィールド同期格納部４４０と、トレーニングモード及びブラインドモードに対応してそれぞれの等化エラー値を算出するエラー算出部４５０と、算出されたそれぞれの等化エラー値を選択的にスイッチングしてフィルタ部４１０に提供するスイッチ部４６０と、を有する。
【００２８】
フィルタ部４１０は、ＦＩＲ形態のフィルタを有し、受信信号の多重信号のうち主信号を基準にして先行に受信された信号であるプリゴースト（Pre-ghost）をフィルタリングするＦＦ（Feed forward）部４１１と、ＩＩＲ形態のフィルタを有し、主信号を基準にして後で受信される信号であるポストゴースト（Post-ghost）をフィルタリングするＦＢ（Feed Back）部４１３と、ＦＦ部４１１の出力された信号とＦＢ部４１３の出力された信号とを加算して等化器４００の出力信号を出力する第１の加算器４１５と、を有する。
【００２９】
フィールド同期抽出部４２０は、等化器４００に入力される受信信号のうちフィールド同期信号を抽出して出力する。図３に図示されたように、４個のシンボルから構成されたセグメント同期信号、７００個のシンボルから構成されたＰＮ列３個、２４個のシンボルから構成された伝送モード情報、９２個のシンボルから構成された予約された情報（reserved）、及び１２個のシンボルから構成されたプリコード（precode）からなるフィールド同期信号（field sync）を抽出する。
【００３０】
チャンネル予測部４３０は、フィールド同期抽出部４２０から抽出されたフィールド同期信号とフィールド同期生成部６００から生成された基準信号を用いてチャンネル状態を予測する。予測されたチャンネル状態に基づいてＦＦ部４１１及びＦＢ部４１３のそれぞれのＦＩＲ及びＩＩＲフィルタタップ係数を初期化させる。
【００３１】
フィールド同期格納部４４０は、フィールド同期抽出部４２０から抽出されたフィールド同期信号を格納する。格納されたフィールド同期信号を用いて後述する第１の再活用モード及び第２の再活用モードで動作し、これに対応する等化エラー値ｃ、ｄ、ｅを算出する。
【００３２】
エラー算出部４５０は、等化器４００の動作モードであるトレーニングモード及びブラインドモードに対応してそれぞれの等化エラー値ａ、ｂ、ｃ、ｄを算出する。等化器４００がトレーニングモードで動作される場合、フィールド同期生成部６００から生成された基準信号とフィールド同期抽出部４２０から抽出されたフィールド同期信号を第２の加算器４５１で加算して等化エラー値ａを算出する。一方、等化器４００がブラインドモードで動作される場合には、決定部４５３に入出力される信号を第３の加算器４５５で加算して等化エラー値ｂを算出する。
【００３３】
スイッチ部４６０は、等化器４００の動作モードに対応して算出された等化エラー値ａ、ｂ、ｃ、ｄ、ｅをフィルタ部４１０に提供する。フィルタ部４１０のＦＦ部４１１及びＦＢ部４１３では、入力される等化エラー値ａ、ｂ、ｃ、ｄ、ｅに対応してそれぞれのフィルタタップ係数をアップデートすることによって等化器４００を収斂させる。
【００３４】
以下、図６乃至図９を参照しながら本発明に係る等化器４００の等化動作の方法を詳説する。
図６は、本発明に係る等化器４００によって第１の等化過程（Ｓ１１０）と第２の等化過程（Ｓ１４０）を介して等化動作が行なわれることを図示した流れ図である。
先ず、第１の等化過程（Ｓ１１０）は、一般の等化過程と同一である。つまり、等化器４００に受信信号が入力されれば、フィールド同期抽出部４２０では受信信号のうちフィールド同期信号を抽出する（Ｓ１１１）。図３のように７００個のシンボルからなるＰＮ列を用いてチャンネル予測部４３０においては現在受信された信号のチャンネル状態を予測する（Ｓ１１２）。
【００３５】
ＦＦ部４１１及びＦＢ部４１３は、予測されたチャンネル状態に基づいてそれぞれのＦＩＲフィルタ及びＩＩＲフィルタのタップ係数を初期化する（Ｓ１１３）。ＦＦ部４１１及びＦＢ部４１３のフィルタタップ係数が初期化された状態を始めに受信信号はトレーニングモードとブラインドモードのように繰返し等化を行なって等化器４００を収斂させる（Ｓ１１４）。
【００３６】
つまり、フィールド同期信号のうち、２レベル信号に対してはトレーニングモードで動作して等化エラー値ａを算出し、８レベルであるプリコード及びデータ信号に対してはブラインドモードで動作して等化エラー値ｂを算出する。この際、スイッチ部４６０では、それぞれの動作モードに対応する等化エラー値ａ、ｂを選択的にスイッチングしてＦＦ部４１１及びＦＢ部４１３にスイッチングされた等化エラー値ａ、ｂを提供する。これによってＦＦ部４１１及びＦＢ部４１３では、等化エラー値ａ、ｂに対応してフィルタのタップ係数をアップデートすることによって等化器４００を収斂させる。
【００３７】
以上のように、第１の等化過程（Ｓ１１０）が終了されれば、等化器４００が収斂しているのかを判断する（Ｓ１２０）。収斂しているのか否かの判断は第１の等化過程（Ｓ１１０）が終了された後の等化器４００の等化エラー値と、収斂判断の基準となる所定の等化エラー値とを比べて等化器４００が収斂しているのかを判断する。判断の結果、等化器４００が収斂した場合には等化動作が終了される。
【００３８】
一方、判断の結果、等化器４００が収斂しなかった場合、等化適応回数が臨界適応回数（Ｎｔｈ）より小さければ（Ｓ１３０）、第１の等化過程（Ｓ１１０）のうちステップ１１４の等化動作を繰返し行なう。ここで、等化が適用される単位は、図２に図示されたＡＴＳＣフレームの一フィールドを構成する３１３個のそれぞれのセグメント単位になる。従って、等化適応回数が３である場合、３個のセグメントが等化された状態を示す。
【００３９】
もし、臨界適応回数（Ｎｔｈ）内で等化器４００が収斂しなかった場合、等化器４００は第２の等化過程（Ｓ１４０）に転換される。
【００４０】
図７及び図８は、第２の等化過程（Ｓ１４０）を説明するための概念図であり、これを参照してフィールド同期格納部４４０に格納されたフィールド同期信号（ＦＳ）を用いて第１の再活用モード及び第２の再活用モードで動作する第２の等化過程（Ｓ１４０）を説明する。
【００４１】
第２の等化過程は、等化器４００にｋ番目（ｋは自然数）入力されるフィールド同期信号（ＦＳ）をフィールド同期格納部４４０に格納する。格納されたｋ番目フィールド同期信号をＮ回（Ｎは自然数）繰返してフィールド同期生成部６００から生成された基準信号と比べて等化エラー値ｃ、ｄ、ｅを算出してＦＦ部４１１及びＦＢ部４１３のフィルタタップ係数をアップデートさせることによって等化器４００を収斂させる。
【００４２】
先ず、ｋ番目フィールド同期信号（ＦＳ）を用いて第１の再活用モードで動作する（Ｓ１４１）。第１の再活用モードは、フィールド同期信号をＭ回（Ｍ＜Ｎは自然数）繰り返して等化エラー値ｃ、ｄ、ｅを算出する。図３のように、セグメント同期信号、ＰＮ列、伝送モード情報、予約された情報、及びプリコード（precode）からなるフィールド同期情報（ＦＳ）を用いて等化エラー値ｃ、ｄ、ｅを算出する。
【００４３】
第１の再活用モードによれば、図３に図示されたフィールド同期信号（ＦＳ）は、図７のように、Ｓ１，Ｓ２，Ｓ３区間に分かれて等化が行われる。Ｓ１区間は、２レベル信号であるセグメント同期信号、ＰＮ列、及び伝送モードが乗せられる区間であり、Ｓ２区間は、２レベルの予約された情報（reserved）が乗せられる区間、Ｓ３区間は、８レベルのプリコード信号が乗せられる区間である。つまり、セグメント同期、ＰＮ列、及び伝送モードが乗せられるＳ１区間は、トレーニングモードで動作して第４の加算器４５７によって等化エラー値ｃを算出し、予約された情報（reserved）が乗せられるＳ２区間は、ブラインドモード（err_blaind）で動作して第５の加算器４５９によって等化エラー値ｅを算出する。算出された等化エラー値（err_train、err_blaind）に基づいてＦＦ部４１１及びＦＢ部４１３では、それぞれのフィルタタップ係数をアップデートすることによって等化器４００を収斂させる。一方、８レベルの信号であるプリコードが乗せられる区間については等化を行なわない。即ち、スイッチ部４６０はｅ点をスイッチングして等化エラー値に「０」を出力する。よって、ＦＦ部４１１及びＦＢ部４１３のそれぞれのフィルタタップ係数をアップデートさせない。
【００４４】
以上のように、フィールド同期格納部４４０に格納されたフィールド同期信号（ＦＳ）をＭ回（Ｍ＜Ｎである自然数）繰り返し等化動作を行なう後、等化器４００が収斂したかを判断する（Ｓ４１２）。
【００４５】
判断の結果、等化器４００が所定の願望するレベルぐらい収斂した場合、ＦＦ部４１１及びＦＢ部４１３のフィルタタップ係数を適応臨界値アルゴリズムまたは固定臨界値アルゴリズムを適用して臨界値以下の多重経路に対応するフィルタのタップ係数を「０」に設定する。図８Ａは、第１の再活用モード（Ｓ１４１）の動作が完了された後のＦＦ部４１１及びＦＢ部４１３のフィルタタップ係数を示したものであり、図８Ｂは図８Ａに対して適応臨界値アルゴリズムを用いてフィルタのタップ係数を設定したものである。
【００４６】
つまり、第１の再活用モード（Ｓ１４１）で動作した後、所定のレベルぐらい等化器が収斂したのであれば（Ｓ１２２）、適応臨界値アルゴリズムを用いてフィルタのタップ係数を再設定する（Ｓ１４３）。その後、等化器４００の収斂をより正確にするため第２の再活用モードで動作させる（Ｓ１４４）。
【００４７】
第２の再活用モードは、フィールド同期信号（ＦＳ）をＮ-Ｍ回（Ｍ＜Ｎである自然数）繰り返して等化エラー値ｃ、ｄ、eを算出する。第２の再活用モードでは、図３に図示されたフィールド同期信号（ＦＳ）は図９のようにＳ４，Ｓ５，Ｓ６，Ｓ７，Ｓ８区間に分かれて等化動作が行われる。
【００４８】
Ｓ４区間は、以前（Ｍ回）のフィールド同期信号のもっとも遅いポストゴーストが存する区間として、以前フィールド同期信号（Ｍ回）の８レベルのプリコード信号がのせられた区間で等化しない。Ｓ５区間は、Ｍ＋１回のフィールド同期信号（ＦＳ）の２レベルの信号であるセグメント同期、ＰＮ列、及び伝送モードがのせられる区間として、トレーニングモードで等化エラー値（ｃ）を算出し、Ｓ６区間は、２レベルの信号である予約された情報がのせられる区間で、ブラインドモードで等化エラー値（ｄ）を算出してＦＦ部４１１及びＦＢ部４１３のそれぞれのフィルタタップ係数をアップデートする。Ｓ７区間は、８レベルのプリコード信号に対するもっとも早いプリゴーストが存する区間で等化しないｅ。Ｓ８区間は、８レベルのプリコードが存する区間であり、やはり等化しないｅ。即ち、２レベルの信号であるセグメント同期信号、ＰＮ列、及び伝送モード情報がのせられる区間でトレーニングモード及びブラインドモードで等化動作を行ってそれぞれの等化エラー値ｃ、ｄを算出する。一方、８レベルの信号であるプリコード信号が存しない区間においては等化を行なわない。ここで、等化を行なわないということは、等化エラー値を「０」になるようスイッチ部４６０をスイッチングすることである。よって、ＦＦ部４１１及びＦＢ部４１３のそれぞれのフィルタタップ係数アップデートさせない。
【００４９】
以上のように第２の再活用モードによって、８レベルのプリコード信号に影響を受けない部分の２レベルのフィールド同期信号（ＦＳ）のみを用いて等化を行なうことによってより安全で正確に等化器４００を収斂させる。
その後、等化器４００の収斂程度を判断し（Ｓ１４５）、等化器４００が所定のレベルぐらい収斂した場合に等化動作を終了する。
フィールド同期格納部４４０に格納されたｋ番目フィールド同期信号（ＦＳ）をＮ回繰り返して等化させた後、ｋ＋１番目のフィールド同期信号に対しては第１の等化過程（Ｓ１１０）から再び開始される。
【００５０】
つまり、図１０に示されたように、ｋ＋１番目のフィールド同期信号（ＦＳ）の等化動作は、Ｓ９，Ｓ１０，Ｓ１１，Ｓ１２区間に分けられる。Ｓ９区間は、ＦＢ部４１３のフィルタに正しいデータを入れ、収斂されたレベルが発散することを防止するためにｋ＋１番目のフィールド同期信号（ＦＳ）がＦＢ部４１３のＩＩＲフィルタに充満されるまで等化を行なわない区間である。Ｓ１０区間は、２レベルの信号であるセグメント同期信号、ＰＮ列、及び伝送モード情報がのせられる区間として、トレーニングモードで等化エラー値ａを算出する。さらに、Ｓ１１区間は、２レベルの予約された情報（reserved）がのせられた区間であってトレーニングモードで等化エラー値ａを算出する。Ｓ１２区間は、８レベルのプリコード信号がのせられた区間であってブラインドモードで等化エラー値ｂを算出する。このように、それぞれの区間に対応する動作モードによって算出された等化エラー値に基づいてフィルタタップをアップデートさせる。
【００５１】
第２の等化過程（Ｓ１４０）に従って、フィールド同期格納部４４０に格納されたｋ番目フィールド同期信号をＮ回繰返して第１及び第２の再活用モードの等化過程を行なうことにより等化器４００の収斂速度が向上されると共により安定的に収斂させ得る。
以上、添付図面を参照しながら本発明に係る好適な実施形態について説明したが、本発明はかかる例に限定されない。当業者であれば、特許請求の範囲に記載された技術的思想の範疇内において各種の変更例又は修正例に想到し得ることは明らかであり、それらについても当然に本発明の技術的思想に属するものと了解される。
【産業上の利用可能性】
【００５２】
等化収斂速度が向上及び安定された等化性能を有する単一搬送波受信装置の等化器に適用される。
【図面の簡単な説明】
【００５３】
【図１】一般の単一搬送波受信機の概略的なブロック図である。
【図２】ＡＴＳＣフレームの構造を示す図である。
【図３】ＡＴＳＣフレームの構造のうちフィールド同期信号（field sync）に対する構造を示す図である。
【図４】図１の等化部４０に対する詳細なブロック図である。
【図５】本発明に係る等化器４００対する詳細なブロック図である。
【図６】図５の等化器４００による等化方法を説明する流れ図である。
【図７】第１の再活用モードでｋ番目フィールド同期信号の等化動作状態を示す図である。
【図８Ａ】第１の再活用モード以後のフィルタタップ係数を示す図である。
【図８Ｂ】図８Ａに対して適応臨界値アルゴリズムを適用したフィルタタップ係数を示す図である。
【図９】第２の再活用モードでｋ番目フィールド同期信号の等化動作状態を示す図である。
【図１０】ｋ＋１番目のフィールド同期信号の等化動作状態を示す図である。
【符号の説明】
【００５４】
４００   等化器
４１０   フィルタ部
４１１   ＦＦ部
４１３   ＦＢ部
４１５   第１の加算器
４２０   フィールド同期抽出部
４３０   チャンネル予測部
４４０   フィールド同期格納部
４５０   エラー算出部
４５１   第２の加算器
４５３   決定部
４５５   第３の加算器
４５７   第４の加算器
４５９   第５の加算器
４６０   スイッチ部
６００   フィールド同期生成部
【図１】
2004166267.tif 000003
【図２】
2004166267.tif 000004
【図３】
2004166267.tif 000005
【図４】
2004166267.tif 000006
【図５】
2004166267.tif 000007
【図６】
2004166267.tif 000008
【図７】
2004166267.tif 000009
【図８Ａ】
2004166267.tif 000010
【図８Ｂ】
2004166267.tif 000011
【図９】
2004166267.tif 000012
【図１０】
2004166267.tif 000013